(57)【要約】      （修正有）【課題】視覚的な温度指示薬を含んでなり、該指示薬が水洗検査として、すなわち中性化検査としての機能も果たす強酸系パイプ閉塞除去剤を提供する。【解決手段】少なくとも１種の強酸と、パイプ閉塞除去剤溶液の酸濃度および極性に応じてｐＨ０〜１の範囲において異なる色を呈し得る着色指示薬とを含んでおり、該着色指示薬が、７を超えるｐＨにおいては無色であり、更に、少なくとも２つ、好ましくは少なくとも３つの異なる色を呈し、該強酸が、塩酸、硫酸、無水リン酸またはその混合物から選択される、液体パイプ閉塞除去剤である。【選択図】なし【特許請求の範囲】
【請求項１】
１種以上の強酸と、
パイプ閉塞除去剤溶液の酸濃度および極性に応じてｐＨ０〜１の範囲において異なる色を呈し得る着色指示薬と
を含んでなる、液体パイプ閉塞除去剤。
【請求項２】
着色指示薬が、７を超えるｐＨにおいては無色であるということに加えて、少なくとも２つ、好ましくは少なくとも３つの異なる色を呈し得る、請求項１に記載のパイプ閉塞除去剤。
【請求項３】
強酸が、塩酸、硫酸、無水リン酸またはその混合物から選択される、請求項１または２に記載のパイプ閉塞除去剤。
【請求項４】
パイプ閉塞除去剤の総重量に対して、少なくとも８０％、好ましくは少なくとも９０％、さらに好ましくは少なくとも９５重量％の強酸を含んでなる、請求項１〜３のいずれか一項に記載のパイプ閉塞除去剤。
【請求項５】
着色指示薬が、パイプ閉塞除去剤の溶液中でカルボカチオン形態、好ましくは、次式（Ｉ）のカルボカチオン形態である、請求項１〜４のいずれか一項に記載のパイプ閉塞除去剤：
【化１】
2009293027.tif 000010
｛式中、Ａ１、Ａ２およびＡ３は、互いに独立して、アリール基、好ましくは、（Ｃ１−Ｃ６）アルキル基、−ＯＲ１、−ＮＲ２Ｒ３、−ＳＲ４、−ＣＯ２Ｈおよび−ＳＯ３Ｈから選択される１以上の基で必要に応じて置換されていてよいフェニルを表し、ここで、
−Ｒ１およびＲ４は、互いに独立して、水素原子、（Ｃ１−Ｃ６）アルキル基、アリールまたはアリール（Ｃ１−Ｃ６）アルキル基（該アリール環は、必要に応じて、−ＯＨ、（Ｃ１−Ｃ６）アルコキシ、（Ｃ１−Ｃ６）チオアルコキシ、（Ｃ１−Ｃ６）アルキル、−ＮＲ５Ｒ６、−ＣＯ２Ｈまたは−ＳＯ３Ｈから選択される、有利には、−ＣＯ２Ｈまたは−ＳＯ３Ｈ、好ましくは、−ＳＯ３Ｈから選択される１以上の基で置換されていてよい）を表し、
−Ｒ２およびＲ３は、互いに独立して、水素原子、（Ｃ１−Ｃ６）アルキル基、アリールまたはアリール（Ｃ１−Ｃ６）アルキル基（該アリール環は、必要に応じて、−ＯＨ、（Ｃ１−Ｃ６）アルコキシ、（Ｃ１−Ｃ６）チオアルコキシ、（Ｃ１−Ｃ６）アルキル、−ＮＲ５Ｒ６、−ＣＯ２Ｈまたは−ＳＯ３Ｈから選択される、有利には、−ＣＯ２Ｈまたは−ＳＯ３Ｈ、好ましくは、−ＳＯ３Ｈから選択される１以上の基で置換されていてよい）を表すか、あるいは、
Ｒ２およびＲ３は、一緒に（Ｃ４−Ｃ７）アルキレン鎖を形成し、かつ、
−Ｒ５およびＲ６は、互いに独立して、水素原子または（Ｃ１−Ｃ６）アルキル基を表すか、あるいは、
Ｒ５およびＲ６は、一緒に（Ｃ４−Ｃ７）アルキレン鎖を形成する｝。
【請求項６】
着色指示薬が、マラカイトグリーン、ブライトグリーンまたはイエローイッシュＳＦペールグリーンであり、好ましくはマラカイトグリーンである、請求項５に記載のパイプ閉塞除去剤。
【請求項７】
パイプ閉塞除去剤の総重量に対して、０．００５〜０．５重量％、好ましくは０．００１〜０．０２重量％の着色指示薬を含んでなる、請求項１〜６のいずれか一項に記載のパイプ閉塞除去剤。
【請求項８】
界面活性剤、好ましくは陰イオン系界面活性剤をさらに含んでなる、請求項１〜７のいずれか一項に記載のパイプ閉塞除去剤。
【請求項９】
界面活性剤が、（Ｃ１−Ｃ２０）アルキル−アリール−スルホン酸塩、アリール−スルホン酸塩、（Ｃ２−Ｃ２０）アルケニル−スルホン酸塩、またはその混合物であり、かつ、好ましくはドデシルベンゼン−スルホン酸のイソプロピルアミン塩である、請求項８に記載のパイプ閉塞除去剤。
【請求項１０】
パイプ閉塞除去剤の総重量に対して、最大約５重量％、好ましくは０．０５〜０．２重量％の界面活性剤を含んでなる、請求項８または９に記載のパイプ閉塞除去剤。
【請求項１１】
パイプ閉塞除去剤の総重量に対して９９．８９重量％の９６％硫酸と、
パイプ閉塞除去剤の総重量に対して０．０１重量％のマラカイトグリーンと、
パイプ閉塞除去剤の総重量に対して０．１０重量％のドデシルベンゼン−スルホン酸イソプロピルアミン塩と
を含んでなる、請求項１〜１０のいずれか一項に記載のパイプ閉塞除去剤。
【請求項１２】
パイプの閉塞の除去に適した温度をもたらし所望の強酸濃度に対応する特徴的な色が得られるまで水でのパイプ閉塞除去剤の希釈を必要とする、請求項１〜１１のいずれか一項に記載のパイプ閉塞除去剤の使用。
【請求項１３】
温度が、閉塞および／またはパイプの性質に合わせられる、請求項１２に記載の使用。
【発明の詳細な説明】
【技術分野】
【０００１】
本発明は、視覚的な温度指示薬（visual temperature indicator）を含んでなる強酸系パイプ閉塞除去剤（pipe unblocker）であって、該指示薬が水洗検査（rinsing check）として、すなわち中性化検査としての機能も果たすパイプ閉塞除去剤に関する。
【発明の背景】
【０００２】
従来使用されているパイプ閉塞除去剤は腐食性製品を含有し、この腐食性製品はソーダなどの強塩基であるか、または硫酸などの強酸である。
【０００３】
パイプ閉塞除去剤は、除去すべき栓の性質に応じて、できるだけ有効であるために、そして適当な量の強酸または強塩基を使用するために、多少濃縮する必要があるであろう。
【０００４】
しかしながら、洗浄剥離用途で対象となるｐＨ範囲であるｐＨ０〜１の範囲において異なる色変化を有する古典的なｐＨ指示薬はないため、現在市場には、閉塞除去剤の水での希釈によって得られる溶液の濃度と、その結果として温度を容易に観察し得るパイプ閉塞除去剤はない。
【発明の概要】
【０００５】
このような中、本発明者らは驚くべきことに、かかる閉塞除去剤を、強酸に、パイプ閉塞除去剤溶液の酸濃度および極性に応じて異なる色を呈し得る着色指示薬を加えることによって得ることができることを発見した。従って、特に対象となる測定不能なｐＨの範囲において、すなわちｐＨ０〜１の範囲において、得られる希釈溶液の色を利用して閉塞除去剤の希釈を視覚的に調べることは容易である。この着色指示薬は、中性ｐＨにおいて総ての着色が消失し、この中性ｐＨによって前記製品が適切に除去されたことが示されることから、水洗検査としても利用することができるというさらなる利点もあり、これは強酸などの腐食性製品に関連して非常に重要である。
【０００６】
かかる着色指示薬は、色の変化は酸とその対応する塩基の色の違いによるものではないため酸塩基平衡に起因しないという点において古典的なｐＨ指示薬とは異なる。実際には、色の変化がそのｐＫａによって決まる古典的なｐＨ指示薬とは違って、色の変化は、所定のｐＨにおいて起こるのではなく、どんな種類の溶液でもその溶液の極性によっても決まる。
【０００７】
よって、本発明の目的は、
少なくとも１種の強酸と、
パイプ閉塞除去剤溶液の酸濃度および極性に応じて異なる色を呈し得る着色指示薬であって、その色の変化がｐＨ０〜１の範囲において観察されるものと
を含んでなる、液体パイプ閉塞除去剤である。
【発明の具体的説明】
【０００８】
パイプ閉塞除去剤溶液の極性は、酸の性質にもパイプ閉塞除去剤溶液に加える任意選択添加剤の極性にも依存するであろう。特定の着色指示薬を用いて得られる色はパイプ閉塞除去剤溶液の極性に従って異なるかまたはこれらの色の変化は異なる酸濃度において生じる。
【０００９】
有利には、前記着色指示薬は、７を超える、好ましくは５を超えるｐＨにおいては無色であるという事実に加えて、少なくとも２つ、好ましくは少なくとも３つの異なる色を呈し得る。
【００１０】
「強酸」とは、本発明の意味において、水中で完全に解離する酸を意味する。強酸は、水中でのそのｐＫａが０未満であることも特徴とする。
【００１１】
特に、強酸は、無機酸、例えば、塩酸、硫酸、無水リン酸またはその混合物を含んでなる。好ましくは、これは硫酸である。
【００１２】
前記酸は本発明において濃縮されて用いられ、水で希釈したときに強い発熱反応を引き起こすものである。特に、前記パイプ閉塞除去剤は、前記パイプ閉塞除去剤の総重量に対して少なくとも８０％、好ましくは少なくとも９０％、さらに好ましくは少なくとも９５重量％の強酸を含んでなる。
【００１３】
用いる強酸は、特に、濃縮水溶液として用いられ得る。よって、前記パイプ閉塞除去剤は、溶媒をさらに含んでなってよく、好ましくは、水を含んでなる。
【００１４】
本発明において用いる着色指示薬は、前記パイプ閉塞除去剤の溶液（酸性溶液）中でカルボカチオン形態、好ましくは、次式（Ｉ）のカルボカチオン形態である：
【化１】
2009293027.tif 000002
｛式中、Ａ１、Ａ２およびＡ３は、互いに独立して、アリール基、好ましくは、（Ｃ１−Ｃ６）アルキル基、−ＯＲ１、−ＮＲ２Ｒ３、−ＳＲ４、−ＣＯ２Ｈおよび−ＳＯ３Ｈから選択される１以上の基で必要に応じて置換されていてよいフェニルを表し、ここで、
−Ｒ１およびＲ４は、互いに独立して、水素原子、（Ｃ１−Ｃ６）アルキル基、アリールまたはアリール（Ｃ１−Ｃ６）アルキル基（該アリール環は、必要に応じて、−ＯＨ、（Ｃ１−Ｃ６）アルコキシ、（Ｃ１−Ｃ６）チオアルコキシ、（Ｃ１−Ｃ６）アルキル、−ＮＲ５Ｒ６、−ＣＯ２Ｈまたは−ＳＯ３Ｈから選択される、有利には、−ＣＯ２Ｈまたは−ＳＯ３Ｈ、好ましくは、−ＳＯ３Ｈから選択される１以上の基で置換されていてよい）を表し、
−Ｒ２およびＲ３は、互いに独立して、水素原子、（Ｃ１−Ｃ６）アルキル基、アリールまたはアリール（Ｃ１−Ｃ６）アルキル基（該アリール環は、必要に応じて、−ＯＨ、（Ｃ１−Ｃ６）アルコキシ、（Ｃ１−Ｃ６）チオアルコキシ、（Ｃ１−Ｃ６）アルキル、−ＮＲ５Ｒ６、−ＣＯ２Ｈまたは−ＳＯ３Ｈから選択される、有利には、−ＣＯ２Ｈまたは−ＳＯ３Ｈ、好ましくは、−ＳＯ３Ｈから選択される１以上の基で置換されていてよい）を表すか、あるいは
Ｒ２およびＲ３は、一緒に（Ｃ４−Ｃ７）アルキレン鎖を形成し、かつ
−Ｒ５およびＲ６は、互いに独立して、水素原子または（Ｃ１−Ｃ６）アルキル基を表すか、あるいは
Ｒ５およびＲ６は、一緒に（Ｃ４−Ｃ７）アルキレン鎖を形成する｝。
【００１５】
前記カルボカチオン（Ｉ）は、とりわけアリール環における正電荷の非局在化によって溶液中ではいくつかのメソマー形態（mesomeric form）で見られ得ることから、当業者には、メソマー形態のカルボカチオン（Ｉ）も本発明の目的であることは分かるであろう。
【００１６】
また、カルボカチオン形態のかかる着色指示薬は、該分子中を電子が移動する速度に従って、電荷の非局在化により、溶液のｐＨおよび極性の関数として色が変わり得ると考えられる。これらの条件において、強酸の変更によって、特にパイプ閉塞除去剤溶液の極性を変更することによって、とりわけ界面活性剤を用いることによって、最終パイプ閉塞除去剤の使用に従って、ｐＨの所望の範囲において、そして希釈後に所望の温度の溶液をもたらす所望の濃度において、色の変化を得ることができる。
【００１７】
さらに、かかるカルボカチオンはヒドロキシルイオンと反応して、次式（ＩＩ）：
【化２】
2009293027.tif 000003
の第三級アルコールを形成することができるということにも注目すべきであり、ここで、Ａ１、Ａ２およびＡ３は上記で定義した通りであり、例えばアルコールは無色である。ヒドロキシルイオンとのこの反応は、一般に強酸の溶液中でおよそｐＨ＝５で起こるため、この特殊性によって、本発明の着色指示薬を水洗検査として用いることも可能である。しかし、４〜７間に含まれるｐＨ（とりわけ、５〜７間のｐＨが好ましい）において色の消失を観察するために、とりわけ溶液の極性を変えることによって、かかる反応が起こるｐＨを変えることができる。
【００１８】
「アルキル」とは、本発明の意味において、直鎖もしくは分枝飽和炭化水素鎖を意味する。
【００１９】
「（Ｃ１−Ｃ６）アルキル」とは、本発明の意味において、１〜６個の炭素原子を含む上記で定義したアルキル基を意味する。有利には、これはメチル、エチル、ｎ−プロピル、イソプロピル、ｎ−ブチル、イソブチル、ｔｅｒｔ−ブチル、ペンチルまたはさらにヘキシルである。好ましくはメチルである。
【００２０】
「（Ｃ１−Ｃ６）アルコキシ」とは、本発明の意味において、基−ＯＲ（式中、Ｒは上記で定義した（Ｃ１−Ｃ６）アルキルを表す）を意味する。例として、これはメトキシ、エトキシ、イソプロポキシ、プロポキシあるいはｔｅｒｔ−ブトキシであり得る。
【００２１】
「（Ｃ１−Ｃ６）チオアルコキシ」とは、本発明の意味において、基−ＳＲ’（式中、Ｒ’は上記で定義した（Ｃ１−Ｃ６）アルキルを表す）を意味する。例として、これはチオメトキシ、チオエトキシ、チオイソプロポキシ、チオプロポキシあるいはチオ−ｔｅｒｔ−ブトキシであり得る。
【００２２】
「（Ｃ４−Ｃ７）アルキレン」とは、本発明の意味において、−（ＣＨ２）ｎ−鎖（式中、ｎは、４〜７間に含まれる整数、有利には４、５または６、好ましくは４または５を表す）を意味する。
【００２３】
「アリール」とは、本発明の意味において、好ましくは、５〜１０個の炭素原子を含みかつ１以上の縮合環を含んでなる、例えばフェニルまたはナフチル基などの芳香族基を意味する。有利には、これはフェニルである。
【００２４】
「アリール−（Ｃ１−Ｃ６）アルキル」とは、本発明の意味において、上記で定義した（Ｃ１−Ｃ６）アルキル基を介して前記分子と結合される上記で定義したアリール基を意味する。有利には、これはベンジルである。
【００２５】
有利には、Ａ１、Ａ２およびＡ３は、互いに独立して、（Ｃ１−Ｃ６）アルキル基、−ＯＲ１、−ＮＲ２Ｒ３、−ＳＲ４、−ＣＯ２Ｈ、および−ＳＯ３Ｈから選択される１または数基で必要に応じて置換されていてよいフェニル基を表し、Ｒ１、Ｒ２、Ｒ３およびＲ４は上記で定義したとおりである。
【００２６】
有利には、ラジカルＡ１、Ａ２およびＡ３のアリールまたはフェニル基を置換している基がもしあるとすれば、パラ位に存在する。
【００２７】
有利には、ラジカルＡ１、Ａ２およびＡ３の少なくとも１つ、好ましくは少なくとも２つは、アリール基、好ましくはパラ位において、好ましくは、−ＮＲ２Ｒ３基で置換されたフェニル（ここで、Ｒ２およびＲ３は例えば上記で定義したとおりである）を表す。
【００２８】
さらに有利には、Ａ１、Ａ２およびＡ３は、互いに独立して、アリール基、有利にはパラ位において、好ましくは、必要に応じて１以上の−ＮＲ２Ｒ３または−ＳＯ３Ｈ基で置換されていてよいフェニル（ここで、Ｒ２およびＲ３は上記で定義したとおりである）を表す。
【００２９】
有利には、前記着色指示薬は、酸性溶液中で次のカルボカチオン：
【化３】
2009293027.tif 000004
のうちの１つを形成し、好ましくは、カルボカチオン（１）を形成する。
【００３０】
これらのカルボカチオンは、前記パイプ閉塞除去剤中に、次の着色指示薬：
次式：
【化４】
2009293027.tif 000005
にそれぞれ一致する化合物である、（１）の場合にはマラカイトグリーン、（２）の場合にはブライトグリーン(bright green)または（３）の場合にはイエローイッシュＳＦペールグリーン(yellowish SF pale green)
のうちの１つを加えることによって得られる。
【００３１】
特定の実施形態では、前記パイプ閉塞除去剤は、前記パイプ閉塞除去剤の総重量に対して０．００５〜０．５重量％、好ましくは０．００１〜０．０２重量％、有利には約０．０１重量％の着色指示薬を含んでなる。
【００３２】
有利には、前記パイプ閉塞除去剤に界面活性剤、好ましくは陰イオン系界面活性剤を加えてよい。
【００３３】
実際には、本発明者らは、驚くべきことに、界面活性剤を加えることによって得られる色が強化され得、より大きな色パレットが得られ得、色遷移が変化し得る（とりわけ、ｐＨのより狭い範囲において色の変化が起こる）ことに気が付いた。よって、このことにより、色の変化が起こるであろう酸濃度を調整する可能性が提供される。しかしながら、かかる解釈によって限定する意図はなかったが、本発明者らは、かかる界面活性剤を加えることにより、このことが酸性溶液の極性を変え、それによって色の変化の変更が可能になると考えている。さらに、かかる界面活性剤を加えることで、式（ＩＩ）のアルコールを与えるカルボカチオンとヒドロキシルイオンとの反応を制限することが可能になり、そしてカルボカチオンを安定させることが可能になるように思われる。これにより、とりわけより強い色を得ることについての説明をすることができた。
【００３４】
有利には、前記界面活性剤は、（Ｃ１−Ｃ２０）アルキル−アリール−スルホン酸塩、アリール−スルホン酸塩、（Ｃ２−Ｃ２０）アルケニル−スルホン酸塩、またはその混合物である。
【００３５】
有利には、これは、（Ｃ１−Ｃ２０）アルキルアリール−スルホン酸塩、（Ｃ２−Ｃ２０）アルケニル−スルホン酸塩、またはその混合物である。
【００３６】
さらに有利には、これは（Ｃ１−Ｃ２０）アルキル−アリール−スルホン酸塩である。
【００３７】
「（Ｃ１−Ｃ２０）アルキル」とは、本発明の意味において、１〜２０個の炭素原子を含む上記で定義したアルキル基を意味する。好ましくは、これは、有利には１２個の炭素原子を含む直鎖（ドデシル基）である。
【００３８】
「（Ｃ２−Ｃ２０）アルケニル」とは、本発明の意味において、少なくとも１つの二重結合を含み、かつ２〜２０個の炭素原子を含む直鎖もしくは分枝炭化水素鎖を意味する。有利には、（Ｃ２−Ｃ２０）アルケニルは、好ましくはスルホン酸官能基に対してα位に、ただ１つの二重結合を含む。さらにより有利には、（Ｃ２−Ｃ２０）アルケニルは１２〜１４個の炭素原子を含む。
【００３９】
「塩」とは、本発明の意味において、界面活性剤のスルホン酸官能基とともに形成された塩、すなわちスルホン酸官能基の酸性プロトンを金属イオン、例えばアルカリ金属イオン（例えばＮａ＋、Ｋ＋もしくはＬｉ＋）、アルカリ土類金属イオン(a earth alkaline metal ion)（Ｃａ２＋もしくはＭｇ２＋など）またはアルミニウムイオンに置き換えることによって、あるいはスルホン酸官能基と有機または無機塩基の配位結合によって形成された塩を意味する。よって、この塩は、スルホン酸誘導体に有機または無機塩基を加えることによって得られ得る。無機塩基としては、水酸化アルミニウム、水酸化カルシウム、水酸化カリウム、炭酸ナトリウムおよび水酸化ナトリウムが挙げられ得る。有機塩基として、アミン例えばジエタノールアミン、エタノールアミン、Ｎ−メチルグルカミン、トリエタノールアミン、トロメタミン、トリエチルアミン、イソプロピルアミン、アンモニアなどが挙げられ得る。
【００４０】
特に、スルホン酸官能基のプロトンは、アルカリ金属イオン、特にＮａ＋と置き換えられるか、あるいはアンモニアに配位結合して、アンモニウムを形成するか、モノアルキルアミン、ジアルキルアミン、またはトリアルキルアミンに配位結合する。有利には、スルホン酸官能基のプロトンはアルカリイオン例えばＮａ＋と置き換えられるか、あるいはアンモニアまたはモノアルキルアミン、好ましくはモノアルキルアミンに配位結合する。
【００４１】
「モノアルキルアミン」とは、本発明の意味において、式Ｒ−ＮＨ２（式中、Ｒは上記で定義した（Ｃ１−Ｃ６）アルキル鎖を表す）の第一級アミンを意味する。好ましくは、これはイソプロピルアミンである。
【００４２】
「ジアルキルアミン」とは、本発明の意味において、式ＲＲ’ＮＨ（式中、ＲおよびＲ’は、互いに独立して、上記で定義した（Ｃ１−Ｃ６）アルキル鎖を表す）の第二級アミンを意味する。
【００４３】
「トリアルキルアミン」とは、本発明の意味において、式ＲＲ’Ｒ”Ｎ（式中、Ｒ、Ｒ’およびＲ”は、互いに独立して、上記で定義した（Ｃ１−Ｃ６）アルキル鎖を表す）の第三級アミンを意味する。有利には、これはトリエチルアミンである。
【００４４】
有利には、前記界面活性剤は、ドデシルベンゼン−スルホン酸のイソプロピルアミン塩（Univar社よりGaflon（商標）ＭＩＳの名前で販売されている）またはα（Ｃ１２−Ｃ１６）アルケニル−スルホン酸ナトリウムもしくはその混合物、例えば１４〜１６個の炭素原子を含むα−アルケニル−スルホン酸ナトリウム混合物（Ifrachimie社よりIfrapon（商標）ＡＯＳ  ３８Ｐの名前で販売されている）である。好ましくは、これは、ドデシルベンゼン−スルホン酸のイソプロピルアミン塩(the isopropylamine salt of dodecylbenzene-sufonic acid)である。
【００４５】
有利には、前記パイプ閉塞除去剤は、前記パイプ閉塞除去剤の総重量に対して最大約５重量％、好ましくは０．０５〜２重量％の界面活性剤を含んでなる。
【００４６】
特定の実施形態では、前記パイプ閉塞除去剤は、
前記パイプ閉塞除去剤の総重量に対して９９．８９重量％の９６％硫酸と、
前記パイプ閉塞除去剤の総重量に対して０．０１重量％のマラカイトグリーンと、
前記パイプ閉塞除去剤の総重量に対して０．１０重量％のドデシルベンゼン−スルホン酸イソプロピルアミン塩と
を含んでなる。
【００４７】
「９６％硫酸」とは、本発明の意味において、硫酸水溶液であって、該溶液の総重量に対して９６重量％の硫酸を含んでなり、残りが水であるものを意味する。
【００４８】
本発明はまた、パイプの閉塞の除去に適した温度をもたらし所望の強酸濃度に対応する特徴的な色が得られるまで水での前記パイプ閉塞除去剤の希釈を必要とする、上記で定義したパイプ閉塞除去剤の使用にも関する。
【００４９】
特に、前記温度は閉塞および／またはパイプの性質に合わせられる。
【００５０】
かかる閉塞除去剤は、とりわけ、パイプを閉塞する不活性無機沈着物を除去するために用いてよい。かかる沈着物は、脂肪残渣、毛髪、紙、石灰質物質、織物あるいはたばこの吸い殻であり得る。
【００５１】
そのため、前記閉塞除去剤は、家庭用設備（シャワー、シンク、洗面台、ビデ、男性用小便器、あるいはトイレなど）のパイプにおいて用いてよい。これらのパイプは、特に鉛製またはＰＶＣ製であってよい。ＰＶＣの場合には、パイプ、とりわけサイホンが変形しないように温度が６０℃以下であることが好ましい。従って、この問題を回避するために前記閉塞除去剤中に温度指示薬を入れることは特に興味深いであろう。
【００５２】
以下の実施例によって本発明はよりよく理解されるであろう。以下の実施例は本発明を例示するためにのみに用い、本発明の範囲を限定するためのものではない。
【実施例】
【００５３】
実施例１
３３％塩酸または９６％硫酸中に、次式のフルオレセインを混合することによって溶液を調製した：
【化５】
2009293027.tif 000006
【００５４】
しかしながら、この場合では、この酸性溶液は黄色の着色を呈し、ｐＨ０〜１の範囲においては酸濃度に従って変色しない。
【００５５】
よって、フルオレセインは、本発明の範囲内において着色指示薬として用いることはできない。
【００５６】
実施例２
３３％塩酸または９６％硫酸中に、次式のヘリアンチン(helianthin)を混合することによって溶液を調製した：
【化６】
2009293027.tif 000007
【００５７】
しかしながら、この場合では、この酸性溶液は赤色の着色を呈し、ｐＨ０〜１の範囲においては酸濃度に従って変色しない。
【００５８】
よって、ヘリアンチンは、本発明の範囲内において着色指示薬として用いることはできない。
【００５９】
実施例３
３３％塩酸または９６％硫酸中に、次式のブロモチモールブルー（ＢＢＴ）を混合することによって溶液を調製した：
【化７】
2009293027.tif 000008
【００６０】
しかしながら、この場合では、この強酸溶液は無色のままであり、ｐＨ０〜１の範囲においては酸濃度に従って変色しない。
【００６１】
よって、ブロモチモールブルー（ＢＢＴ）は、本発明の範囲内において着色指示薬として用いることはできない。
【００６２】
実施例４
３３％塩酸または９６％硫酸中に、ブライトグリーンを混合することによって溶液を調製した。
【００６３】
この場合では、低濃度〜最高濃度溶液で次の色が観察された：
・硫酸の場合：
橙色−黄色−無色、
・塩酸の場合：
橙色−黄色−青色−無色。
【００６４】
界面活性剤（Caflon（商標）ＭＩＳまたはIfrapon（商標）ＡＯＳ  ３８Ｐ）を加えた場合には、次の色が観察された：
・硫酸の場合：
橙色−黄色−緑色−無色、
・塩酸の場合：
橙色−黄色−緑色−青色−無色。
【００６５】
色の消失を除いて、総ての色変化はｐＨ＜１において観察された。
【００６６】
実施例５
３３％塩酸または９６％硫酸中に、イエローイッシュＳＦペールグリーンを混合することによって溶液を調製した。
【００６７】
この場合では、低濃度〜最高濃度溶液で次の色が観察された：
・硫酸の場合：
橙色−黄色−無色、
・塩酸の場合：
橙色−黄色−青色−無色。
【００６８】
界面活性剤（Caflon（商標）ＭＩＳまたはIfrapon（商標）ＡＯＳ  ３８Ｐ）を加えた場合には、次の色が観察された：
・硫酸の場合：
橙色−黄色−緑色−無色、
・塩酸の場合：
橙色−黄色−緑色−青色−無色。
【００６９】
色の消失を除いて、総ての色変化はｐＨ＜１において観察された。
【００７０】
実施例６
３３％塩酸または９６％硫酸中に、マラカイトグリーンを混合することによって溶液を調製した。
【００７１】
この場合では、低濃度〜最高濃度溶液で次の色が観察された。これらの色は前の２つの場合（実施例４および５）より少し鮮やかである：
・硫酸の場合：
橙色−黄色−無色、
・塩酸の場合：
橙色−黄色−青色−無色。
【００７２】
界面活性剤（Caflon（商標）ＭＩＳまたはIfrapon（商標）ＡＯＳ  ３８Ｐ）を加えた場合には、次の色が観察された：
・硫酸の場合：
橙色−黄色−緑色−無色、
・塩酸の場合：
橙色−黄色−緑色−青色−無色。
【００７３】
色の消失を除いて、総ての色変化はｐＨ＜１において観察された。
【００７４】
注目すべきは、同じ酸濃度では、用いる界面活性剤の性質および／または濃度に応じて、色の変化が起こらないことである。
【００７５】
配合する者は、その特定の目的に応じて、処方をしかるべく適合させるであろう。
【００７６】
実施例７
本発明によるパイプ閉塞除去剤を、次の割合で、硫酸の濃縮水溶液にマラカイトグリーンおよびドデシルベンゼン−スルホン酸イソプロピルアミン塩（Univar社よりCaflon（商標）ＭＩＳとしてまたはHuntsman社よりNansa（商標）ＹＳ９４として販売されている）を加えることによって調製した：
【００７７】
【表１】
2009293027.tif 000009
【００７８】
非常に高濃度で見られるこのパイプ閉塞除去剤を水で希釈した場合には、それは次の色：
緑色（この色は、あまり閉塞されていないパイプの予防的処置に適した、希釈直後の４０〜６０℃間に含まれる溶液温度に相当する）、
黄色（この色は、高度に閉塞された低流量のパイプの処置に適した、希釈直後の６０〜８０℃間に含まれる溶液温度に相当する）、
および
橙色（この色は、とりわけ脂肪栓によって閉塞された全く流れないパイプの処置に適した、希釈直後の８０℃より高い溶液温度に相当する）
を呈し得る。
【００７９】
総ての色変化はｐＨ＜１において観察された。さらに、ｐＨが５を超えると、着色が完全に消失することから、水洗の良好な目安にすることができる。
【外国語明細書】
2009293027000001.pdf